(57)【要約】【課題】  コンクリートの躯体工事後、外装材を取り付ける際、コンクリート内に埋め込まれるセパレーター連結金具を有効に活用し、重量のある外装材の場合でも有効に支持できるようにする。【解決手段】コンクリート打込み施工時にセパレーター６が連結され、且つコンクリート内にその一部が埋め込まれるセパレーター連結金具１Ａとして、コーン部材２の嵌合穴２ｈに嵌合する挿入金具３に、断熱材４の厚み分延出する張出し部３ｐを設けて先端の雄ネジ部３ｘに外装材１２取り付け用の固定金具１０を直接締結するか、またはセパレーター連結金具１Ｂとして、小径のセパレーター連結用雌ネジ孔３ｎと軸脚連結用雌ネジ孔３ｑ、及び大径の連結部材連結用雌ネジ孔３ｒを貫通状に設け、大径の連結部材１６の張出し部分に固定金具１０を連結できるようにする。【選択図】      図１
2008255732.tif 000002
【特許請求の範囲】
【請求項１】
セパレーター連結金具を用いた外断熱工法における外装材の取付方法であって、前記セパレーター連結金具は、セパレーターの雄ネジ部に螺合するセパレーター連結用雌ネジ孔を備えた挿入金具がコーン部材の嵌合穴に嵌合して一体化されたものであり、外装材を取り付けるための固定金具が、前記挿入金具に直接結合されるか、または、挿入金具に連結される連結部材に結合され、この固定金具を介して外装材を取り付けるようにしたことを特徴とするセパレーター連結金具を用いた外断熱工法における外装材の取付方法。
【請求項２】
コンクリート型枠用セパレーターが連結されるセパレーター連結金具であって、セパレーターの雄ネジ部に螺合するセパレーター連結用雌ネジ孔を備えた挿入金具と、この挿入金具を嵌合せしめる嵌合穴を備えたコーン部材とを備え、前記挿入金具は、コーン部材の平坦面部分から断熱材の厚み分前方に張り出す張出し部を有しており、また、張出し部の先端部にコンクリート打込み施工時のフォームタイと、外装材施工時の外装材固定用の固定金具がそれぞれ締結可能な雄ネジ部が形成されることを特徴とするセパレーター連結金具。
【請求項３】
コンクリート型枠用セパレーターが連結されるセパレーター連結金具であって、セパレーターの雄ネジ部に螺合するセパレーター連結用雌ネジ孔を備えた挿入金具と、この挿入金具を嵌合せしめる嵌合穴を備えたコーン部材とを備え、前記挿入金具には、前記セパレーター連結用雌ネジ孔に隣接して、コンクリート打込み施工時の軸脚を螺合せしめることのできる軸脚連結用雌ネジ孔と、外装材施工時の連結部材の雄ネジ部を螺合せしめることのできる大径の連結部材連結用雌ネジ孔とが順に形成されることを特徴とするセパレーター連結金具。
【発明の詳細な説明】
【技術分野】
【０００１】
本発明は、外断熱工法における外装材取付け作業の効率化と部品点数の削減を図るための技術に関する。
【背景技術】
【０００２】
従来、例えば鉄筋コンクリート造りまたは鉄筋鉄骨コンクリート造り等の建物において、コンクリート壁面の断熱施工を効率的に行うため、型枠兼用断熱ボードを用いてコンクリートを打込むような技術が知られている。（例えば、特許文献１、特許文献２参照。）
このような技術では、コンクリートの厚みを一定に保持するため、断熱ボードとコンパネ材との間にセパレーターを配設してコンクリートを打設するコンクリート打込み施工を行った後、その外側に外装材を取り付ける外装材施工を別個に行うようにしている。
【０００３】
この施工の一例を説明すると、図９（ａ）に示すように、断熱材５１の外側をコンパネ型枠５２で支持するとともに、他方側のコンパネ型枠５２と断熱材５１との間にセパレーター５３を配設して両者間の間隔を一定に保持した後、断熱材５１と他方側のコンパネ型枠５２との間にコンクリート５４（後述する図９（ｂ）参照）を打ち込んで養生するようにしている。この際、断熱材５１とは反対側のコンパネ型枠５２には、セパレーター５３の先端を挿通せしめることのできる貫通孔が形成されて、セパレーター５３の先端の一部が外部に張り出すとともに、張り出したセパレーター５３の先端部にフォームタイ６３が締結されて型締めされ、これとは逆側のセパレーター５３の先端はセパレーター連結金具６０に連結されている。また、セパレーター連結金具６０には、断熱材５１やコンパネ型枠５２に形成される貫通孔を通して軸脚６４も連結されており、この軸脚６４の一端側も、コンパネ型枠５２の貫通孔から外部に張り出しており、この張出し部分にフォームタイ６３が締結されて型締めされている。そして、図９（ｃ）に示すように、コンクリートの養生が終えると、コンパネ型枠５２が解体され、次いで、セパレーター連結金具６０が存在する箇所とは別の箇所に、断熱材５１を通してコンクリート５４にインサート金物埋め込み用の取付け孔５５が穿設される。そしてこの取付け孔５５にインサート金物５６を埋め込んで、これにL型の固定金具５７を取り付けるとともに、固定金具５７に締結されるリップ溝型鋼５８などに外装材５９を取り付けるようにしている。
【０００４】
なお、コンクリート打設時に前記セパレーター５３に連結されるセパレーター連結金具６０は、図１０（ｂ）に示すように、樹脂製のコーン部材６１と、コーン部材６１の嵌合穴６１ｈに嵌合して一体化される挿入金具６２を備えており、この挿入金具６２に形成される雌ネジ孔６２ｎは、一端側にセパレーター５３の雄ネジ部を捩じ込むと同時に、他端側にフォームタイ６３取り付け用の軸脚６４を捩じ込むための貫通した雌ネジ孔６２ｎとして構成されている。そして、コンクリート５４打設後、型枠５２を解体するときに、フォームタイ６３や軸脚６４も取り外され、必要に応じて断熱材５１の貫通孔は塞がれるが、セパレーター連結金具６０は、セパレーター５３と一緒にコンクリート５４内に埋め込まれることになる。このため、例えば、挿入金具６２の雌ネジ孔６２ｎにネジ棒等の連結部材を捩じ込んでこれに外装材取り付け用の固定金具５７を取付けることも考えられるが、一般に挿入金具６２の雌ネジ孔６２ｎの径は小さいため（通常のセパレーター径は５／１６ｉｎ）、例えばタイル仕上げや、成形セメント板等の外装材５９の種類によっては外装材の重量が重くなって、挿入金具６２や連結部材の強度が耐え切れないため、別途取付け孔５５を穿設し、強度のあるインサート金物５６を利用して固定金具５７を取付けるのが一般的である。
【特許文献１】特開昭６１−２９４０４８号公報
【特許文献２】特開２０００−１９９２８８号公報
【発明の開示】
【発明が解決しようとする課題】
【０００５】
ところで、上記のようにセパレーター連結金具６０が、コンクリート打設後、コンクリート５４内部に埋め込まれて有効に利用されないのは部品の無駄であり、外装材取付けのための作業にもインサート金物５６埋込み用の取付け孔５５穿設等の余分の作業を伴うものである。
【０００６】
そこで本発明は、セパレーター連結金具を有効に活用しつつ、タイル貼り仕上げや、成形セメント板や、ＡＬＣ板や、金属外装材等の多種の外装材のうち重量が重い場合でも有効に支持できるようにすることを目的とする。
【課題を解決するための手段】
【０００７】
上記目的を達成するため本発明は、セパレーター連結金具を用いた外断熱工法における外装材の取付方法において、前記セパレーター連結金具として、セパレーターの雄ネジ部に螺合するセパレーター連結用雌ネジ孔を備えた挿入金具がコーン部材の嵌合穴に嵌合して一体化されたものとし、外装材を取り付けるための固定金具を、前記挿入金具に直接結合するか、または、挿入金具に連結した連結部材に結合するようにし、この固定金具を介して外装材を取り付けるようにした。
【０００８】
このように、セパレーター連結金具を利用して、外装材を取り付けるための固定金具を結合するようにすれば、従来無駄に埋め込まれるだけの部品を有効に活用して効率よく外装材を取り付けることができる。また、外装材取り付けに伴う作業の効率化も図れる。
【０００９】
この際、固定金具を挿入金具に直接結合する場合は、挿入金具の径を太くすることにより、また、連結部材を介して結合する場合には、連結部材の径を太くすることにより、外装材が重い場合でも十分支えることができるようになる。
【００１０】
そして本発明では、セパレーター連結金具として、セパレーターの雄ネジ部に螺合するセパレーター連結用雌ネジ孔を備えた挿入金具と、この挿入金具を嵌合せしめる嵌合穴を備えたコーン部材とを設け、前記挿入金具に、コーン部材の平坦面部分から断熱材の厚み分前方に張り出す張出し部を形成するとともに、張出し部の先端部にコンクリート打込み施工時のフォームタイと、外装材施工時の外装材固定用の固定金具とがそれぞれ締結可能な雄ネジ部を形成するようにした。
【００１１】
このようなセパレーター連結金具を設けることにより、挿入金具の径を太くすることができ、外装材施工時に張出し部先端に直接固定金具を締結しても、強度に耐え得ることができる。そして、張出し部の先端の締結部には、コンクリート打込み施工時にはフォームタイを締結し、外装材施工時には固定金具を連結する。
【００１２】
また、別のタイプのセパレーター連結金具において、セパレーターの雄ネジ部に螺合するセパレーター連結用雌ネジ孔を備えた挿入金具と、この挿入金具を嵌合せしめる嵌合穴を備えたコーン部材とで構成するとともに、前記挿入金具には、前記セパレーター連結用雌ネジ孔に隣接して、コンクリート打込み施工時の軸脚を螺合せしめることのできる軸脚連結用雌ネジ孔と、外装材施工時の連結部材の雄ネジ部を螺合せしめることのできる大径の連結部材連結用雌ネジ孔とを順に形成するようにした。
【００１３】
そして、コンクリート打込み施工時には、挿入金具の軸脚連結用雌ネジ孔に軸脚を螺合させて施工し、外装材施工時には、挿入金具の連結部材連結用雌ネジ孔に大径の連結部材を螺合させて施工する。
【００１４】
このような構成によっても、外装材施工時に、挿入金具に対して、セパレーター径より径の大きい連結部材を連結できるようになり、この連結部材に外装材固定用の固定部材を締結すれば、必要な強度が確保される。
【発明の効果】
【００１５】
以上のように、従来では、型枠工事においてコンクリートの厚みを一定に保持するための目的で、コンクリート打設後は無駄になっていたセパレーター連結金具を有効に活用して外装材を固定できるようにしたため、部品点数の削減や作業の効率化が図られるようになった。
【００１６】
この際、セパレーター連結金具として、コーン部材に嵌合する挿入金具を平坦面部分から前方に延長させて張出し部を設けるようにすれば、挿入金具に直接外装材取付け用の固定金具を締結できるようになり、また、挿入金具に、軸脚連結用雌ネジ孔と、大径の連結部材連結用雌ネジ孔を設ければ、大径の連結部材に間接的に外装材取付け用の固定金具を締結できるようになり、いずれの場合でも外装材の重量が重くなっても有効に支えることができる。
【発明を実施するための最良の形態】
【００１７】
本発明の実施の形態について添付した図面に基づき説明する。
【００１８】
ここで図１（ａ）は本発明に係るセパレーター連結金具の第１の実施例を示す説明図、（ｂ）は同分解図、図２は第１実施例の挿入金具を進退動自在にした例を示す説明図、図３（ａ）はセパレーター連結金具の第２実施例の説明図、（ｂ）は同分解図、（ｃ）は連結部材の説明図、図４は第２実施例のセパレーター連結金具と連結部材によって固定金具を締結した状態を示す説明図、図５は固定金具の説明図、図６は固定金具を使用して外装材を取り付けた状態の説明図で（ａ）は正面図、（ｂ）は平面図、図７は第１実施例のセパレーター連結金具を使用したコンクリート打込みから外装材施工までの工程を示す説明図、図８は第２実施例のセパレーター連結金具を使用したコンクリート打込みから外装材施工までの工程を示す説明図である。
【００１９】
本発明に係る外断熱工法における外装材の取付け技術は、従来、コンクリート打設後はコンクリート内で無駄に埋め込まれていたセパレーター連結金具を、外装材の取付けにも活用して有効利用を図るもので、外装材の種類に如何にかかわらず、有効に支持できるようにされている。
【００２０】
まず、セパレーター連結金具の第１実施例について図１に基づき説明する。
【００２１】
このセパレーター連結金具１Ａは、樹脂製のコーン部材２と、コーン部材２の嵌合穴２ｈを挿通して一体化される挿入金具３を備えており、この挿入金具３は、コーン部材２の平坦面ｆを貫いて前面側に延出し、平坦面ｆから断熱材（後述）の厚み分張り出す張出し部３ｐを備えるとともに、張出し部３ｐの先端には、小径の雄ネジ部３ｘが設けられている。
【００２２】
また、挿入金具３の基端側には、後述するセパレーターの雄ネジ部を螺合せしめることのできるセパレーター連結用雌ネジ孔３ｎが袋孔状に設けられている。
【００２３】
このようなセパレーター連結金具１Ａを用いた施工の要領について図７に基づき説明する。
【００２４】
まず、コンクリート打込み施工においては、図７（ａ）に示すように、型枠兼用断熱材４とコンパネ型枠５との間にセパレーター６を配設する。
【００２５】
この際、コンパネ型枠５側では、セパレーター６の先端をコンパネ型枠５に形成される貫通孔を通して外部に張り出させ、張り出した部分にフォームタイ７を連結して型締めする。
【００２６】
また、断熱材４側では、セパレーター６の先端をセパレーター連結金具１Ａの挿入金具３に連結する。すなわち、セパレーター６先端の雄ネジ部を挿入金具３のセパレーター連結用雌ネジ孔３ｎに螺合させる。そして、挿入金具３の先端の張出し部３ｐは、断熱材４に形成される貫通孔に挿入し、先端の雄ネジ部３ｘを外部に張り出させ、この雄ネジ部３ｘにフォームタイ７を連結して型締めする。
【００２７】
次いで、断熱材４とコンパネ型枠５との間にコンクリート８を打設する。
【００２８】
そして、図７（ｂ）に示すように、養生が終え、型枠５を解体すると、セパレーター６とセパレーター連結金具１Ａの一部は、コンクリート８内に埋め込まれるが、セパレーター連結金具１Ａの張出し部３ｐは断熱材４の内部に、雄ネジ部３ｘは外部に張り出している。
【００２９】
次に、図７（ｃ）に示すように、外装材施工の段階では、セパレーター連結金具１Ａの外部に張り出した雄ネジ部３ｘにＬ型の固定金具１０を締結し、この固定金具１０に結合されるリップ溝型鋼１１に外装材１２を取り付ける。
【００３０】
因みに、この固定金具１０は図５に示すように、一辺側に雄ネジ部３ｘを挿通させることのできる長孔１０ｈを備えるとともに、他辺側にリップ溝型鋼１１に結合するための４箇所のネジ孔１０ａを備えており、図６に示すように、長孔１０ｈを挿通する雄ネジ部３ｘにナット１３を締付けて固定し、ネジ孔１０ａに捩じ込まれるリベットネジ１４でリップ溝型鋼１１に固定するようにされている。
【００３１】
以上のような第１実施例のセパレーター連結金具１Ａにおいて、挿入金具３の張出し部３ｐは大径で強度があるため、外装材１２の重量が重くなっても十分支えることができる。
【００３２】
ところで、以上のようなセパレーター連結金具１Ａの張出し部３ｐの長さを調整できるようにしたものが図２に示す改良型である。
【００３３】
この改良型セパレーター連結金具１Ａは、コーン部材２に対して挿入金具３を進退動自在にし、断熱材４の厚みに合わせて張出し部３ｐの長さを調整できるようにしている。
【００３４】
次に、第２実施例のセパレーター連結金具１Ｂについて図３に基づき説明する。
【００３５】
このセパレーター連結金具１Ｂは、図３（ａ）に示すように、樹脂製のコーン部材２と、コーン部材２の嵌合穴２ｈに嵌合する挿入金具３を備えており、挿入金具３には、基端側から順に、セパレーター連結用雌ネジ孔３ｎと、コンクリート打込み施工時に軸脚１５（後述）が連結される軸脚連結用雌ネジ孔３ｑと、外装材施工時に連結部材１６（図３（ｂ））が連結される連結部材連結用雌ネジ孔３ｒが貫通して設けられており、セパレーター連結用雌ネジ孔３ｎと軸脚連結用雌ネジ孔３ｑは小径で同一径にされるとともに、連結部材連結用雌ネジ孔３ｒは、それより大径のネジ孔にされている。
【００３６】
また、外装材施工時に使用される連結部材１６は、図３（ｃ）に示すように、外装側の面にネジ部を備えた雄ネジ棒として構成されている。
【００３７】
このようなセパレーター連結金具１Ｂを用いた施工の要領について図８に基づき説明する。
【００３８】
まず、コンクリート打込み施工においては、図８（ａ）に示すように、断熱材４と一方側のコンパネ型枠５との間にセパレーター６を配設する。
【００３９】
この際、断熱材４と反対側のコンパネ型枠５側では、セパレーター６の先端をコンパネ型枠５に形成される貫通孔を通して外部に張り出させ、張り出した部分にフォームタイ７を連結して型締めする。
【００４０】
また、断熱材４側では、セパレーター６の先端をセパレーター連結金具１Ｂの挿入金具３に連結する。すなわち、セパレーター６先端の雄ネジ部を挿入金具３の小径のセパレーター連結用雌ネジ孔３ｎに螺合させ、反対側のコンパネ型枠５と断熱材４の貫通孔を通して挿し込んだ軸脚１５先端の雄ネジ部を小径の軸脚連結用雌ネジ孔３ｑに螺合させ、軸脚１５の他端側を断熱材４やコンパネ型枠５の外部に張り出させ、この外部に張り出した軸脚１５にフォームタイ７を連結して型締めする。
【００４１】
次いで、断熱材４とコンパネ型枠５との間にコンクリート８を打設する。
【００４２】
そして、図８（ｂ）に示すように、養生が終え、型枠５を解体し、軸脚１５を取り除くと、セパレーター６とセパレーター連結金具１Ｂは、コンクリート８内に埋め込まれる。
【００４３】
次に、図８（ｃ）に示すように、外装材施工の段階では、断熱材４に形成される貫通孔を通して、図３（ｃ）に示す大径の連結部材１６の一端側ネジ部を螺合させ、他端側を断熱材４の外部に張り出させ、この外部に張り出した部分にナット１７を介して固定金具１０を締結し、この固定金具１０に結合されるリップ溝型鋼１１に外装材１２を取り付ける。因みに、連結部材１６に対する固定金具１０の結合状態は、図４にも示されている。
【００４４】
この際、固定金具１０は図５と同一であり、リップ溝型鋼１１や外装材１２への取付け関係は図６とほぼ同様である。
【００４５】
以上のような第２実施例のセパレーター連結金具１Ｂにおいても、連結部材１６は大径で強度があり、しかも挿入金具３の連結部材連結用雌ネジ孔３ｒは径が大きいため、外装材１２の重量が重い場合でも十分支えることができる。
【００４６】
以上のような第１、第２実施例のセパレーター連結金具１Ａ、１Ｂのいずれの場合も、従来、コンクリート内部に埋め込まれて無駄になっていたセパレーター連結金具を有効に活用し、外装材取付けに利用し、しかも外装材が重い場合でも十分支持できるようにしたため、効率的な施工が可能となった。
【００４７】
なお、本発明は以上のような実施形態に限定されるものではない。本発明と実質的に同一の構成を有し、同一の作用効果を奏するものは本発明の技術的範囲に属する。
【００４８】
例えば外装材の具体的な取付方法等は例示である。また、コンクリート打込み施工では、断熱材４に隣接してコンパネ型枠５を配置する場合と、型枠兼用断熱材４として隣接したコンパネ型枠５を配置しない場合の両方を示しているが、これらの配置等も任意である。
【産業上の利用可能性】
【００４９】
コンクリート工事と同時に外装材の留付けアンカーが設置でき、留付けアンカー等の設置忘れがなくなると同時に留付け強度も保障され、しかも工事の省力化が図れる、特に外断熱工法におけるコンクリート躯体の建造物の施工に効果的である。
【図面の簡単な説明】
【００５０】
【図１】（ａ）は本発明に係るセパレーター連結金具の第１の実施例を示す説明図、（ｂ）は分解図
【図２】第１実施例の挿入金具を進退動自在にした例を示す説明図
【図３】（ａ）はセパレーター連結金具の第２実施例の説明図、（ｂ）は分解図、（ｃ）は連結部材の説明図
【図４】第２実施例のセパレーター連結金具と連結部材によって固定金具を締結した状態を示す説明図
【図５】固定金具の説明図
【図６】固定金具を使用して外装材を取り付けた状態の説明図で（ａ）は正面図、（ｂ）は平面図
【図７】第１実施例のセパレーター連結金具を使用したコンクリート打込みから外装材施工までの工程を示す説明図
【図８】第２実施例のセパレーター連結金具を使用したコンクリート打込みから外装材施工までの工程を示す説明図
【図９】従来のセパレーター連結金具を使用したコンクリート打込みから外装材施工までの工程を示す説明図
【図１０】（ａ）は従来のセパレーター連結金具の説明図、（ｂ）は分解図
【符号の説明】
【００５１】
１Ａ、１Ｂ…セパレーター連結金具、２…コーン部材、２ｈ…嵌合穴、３…挿入金具、３ｐ…張出し部、３ｎ…セパレーター連結用雌ネジ孔、３ｑ…軸脚連結用雌ネジ孔、３ｒ…連結部材連結用雌ネジ孔、４…断熱材、６…セパレーター、８…コンクリート、１０…固定金具、１２…外装材、１５…軸脚、１６…連結部材、ｆ…平坦面。
【図１】
2008255732.tif 000003
【図２】
2008255732.tif 000004
【図３】
2008255732.tif 000005
【図４】
2008255732.tif 000006
【図５】
2008255732.tif 000007
【図６】
2008255732.tif 000008
【図７】
2008255732.tif 000009
【図８】
2008255732.tif 000010
【図９】
2008255732.tif 000011
【図１０】
2008255732.tif 000012